(57)【特許請求の範囲】
【請求項１】
固定枠体と、表示パネルを取り付けてある開閉枠体と、背面パネルとを備え、
固定枠体は、固定枠体を構成する固定枠体上枠部材の開閉枠体側に上方に開口した排水溝を有し、
開閉枠体は、長手方向の中間部に固定枠体上枠部材の上面より上方に張り出している張出部を有し且つ張出部の両側に位置する開閉枠体の上枠部材を固定枠体上枠部材に軸着してあり、
張出部は、張出部の背面側に背面パネルが取り付けてあり、
背面パネル下端は、排水溝の溝幅内に収まっていることを特徴とする看板。
【発明の詳細な説明】
【技術分野】
【０００１】
本発明は、内部に光源を有するサイン看板に関し、特に表示パネル部が異形である異形看板に係る。
【背景技術】
【０００２】
表面にアクリル板等で製作した表示パネルを有し、内部に設けた光源で広告表示する、いわゆる電照式看板においては、光源ランプ等の取り替え等のメンテナンスが必要である。
そこで、例えば特開平１１−６５５０３号公報に開示するように、上部を蝶番で連結した開閉式の看板が公知である。
しかし、例えば表示パネル部に上方突出部を有するような異形看板においては、上方突出部が開閉の障害になり、開閉枠の上部を支点にした開閉構造の採用が難しく、持ち出し式の開閉にすると開閉操作が大変であり、また、看板内に雨水やほこりが浸入しやすいという技術的課題があった。
【０００３】
【特許文献１】特開平１１−６５５０３号公報
【発明の開示】
【発明が解決しようとする課題】
【０００４】
本発明は、上記背景技術に内在する技術的課題に鑑みて、異形看板の看板内部に雨水やほこりが入りにくい看板の提供を目的とする。
【課題を解決するための手段】
【０００５】
本発明に係る看板は、固定枠体と、表示パネルを取り付けてある開閉枠体と、背面パネルとを備え、固定枠体は、固定枠体を構成する固定枠体上枠部材の開閉枠体側に上方に開口した排水溝を有し、開閉枠体は、長手方向の中間部に固定枠体上枠部材の上面より上方に張り出している張出部を有し且つ張出部の両側に位置する開閉枠体の上枠部材を固定枠体上枠部材に軸着してあり、張出部は、張出部の背面側に背面パネルが取り付けてあり、背面パネル下端は、排水溝の溝幅内に収まっていることを特徴とする。
ここで、開閉枠体の長手方向の中間部に固定枠体上枠部材の上面より上方に張り出している張出部を有するとは、看板の表示パネルに向かって左右を長手方向とした場合にその中間部が固定枠体上枠部材の上面より上方に張り出している、いわゆる異形看板をいう。
また、張出部の背面側に背面パネルを取り付けてあるとは、張出部の背面側（固定枠体側）の開口部を塞ぐための背面パネルをいい、開口部を塞ぐものであれば、張出部の背面側全面でも部分的でも良い。
【発明の効果】
【０００６】
本発明においては、固定枠体の上枠部材の開閉枠体側に、上方に開口した排水溝を形成し、開閉枠体の張出部の両側に位置する上枠部材を固定枠体側の上枠部材に軸着するとともに、固定枠体上枠部材の上面より上方に張り出している張出部の固定枠体側である背面側の開口部を背面パネルで塞いでいるので張出部からの雨水や埃の浸入を防止する。
なお、それでも浸入した雨水は、排水溝に沿って看板の両側から排水されるので排水溝より下の看板内に雨水が流れ込むのを防止できる。
【発明を実施するための最良の形態】
【０００７】
本発明に係る看板の例を図１に示し、図１（イ）が広告表示する表示パネル部を正面とした正面図で、この状態で左右方向を看板の長手方向と表現するとともに、上下の位置関係を表現する。
図１（ロ）がＡ−Ａ線断面における上部の部分拡大図（表示パネルの上方突出部分）で、図１（ハ）がＢ−Ｂ線断面における上部の部分拡大図で、背面パネルの部分を図５の拡大図に示す。
なお、図２にＡ−Ａ線断面図、図３にＢ−Ｂ線断面図を示し、図４に開閉枠体を開いた状態を示す。
【０００８】
図１、図４に示すように、固定枠体２０に開閉枠体１０を上下方向に開閉自在に連結してあり、看板内部にランプ等の光源５０が取り付けてある。
開閉枠体１０は、開閉枠体の上枠部材１１、開閉枠体の下枠部材１５及び左右の開閉枠体の縦枠部材１７、１８で枠体を形成し、開閉枠体の固定枠体とは反対側にパネル嵌合部１４を有していて、広告表示部となるアクリル製等の表示パネル３０を嵌装している。
表示パネル３０の長手方向中間部には、固定枠体の上枠部材上面より上方に突出する突出部３１を形成した異形看板になっている。
従って、開閉枠体を構成する開閉枠体上枠部材１１には、パネル嵌合部から固定枠体側に延びる上面壁１２を有するとともに、長手方向の中間部がパネルの突出部３１に対応して固定枠体の上枠部材上面より上方に張り出している張出部１３になっている。
【０００９】
固定枠体２０は、図１、図２に示すように、固定部材７０にて躯体等に固定できるようになっていて、固定枠体上枠部材２１、固定枠体下枠部材２５及び左右の縦枠部材（図示省略）で枠体を形成し、固定枠体を構成する固定枠体上枠部材２１には、固定枠上面壁２２を有し、この固定枠上面壁の表示パネル側で上方に開口した断面略U字状の排水溝２３を固定枠体上枠部材の看板左右長手方向に有している。
【００１０】
次に、固定枠体２０と開閉枠体１０との連結構造について説明する。
開閉枠体の上枠部材の張出部１３の両側（張出部以外の部分）においては、開閉枠体の上面壁１２を固定枠体上枠部材（上面壁）の排水溝２３の上方に位置させ、複数の蝶番等の軸着部材２４で、固定枠体上枠部材に略水平に軸着してあり、この軸着部を回動中心にして開閉枠体が手前側に開閉するようになっている。
また、開閉枠体の張出部は、長手方向の中間部がパネルの突出部３１に対応して上方に張り出しているので、固定枠体側に対応する背面は開口した状態になる。
そこで、この張出部の背面側開口部に背面パネル４０を取り付けて蓋をしてあり、背面パネルの看板内側は反射板になっている。
背面パネルは、図１（ロ）に示すように固定枠体上枠部材に形成した排水溝２３の上方に取り付け、下端４０ｂは排水溝の溝幅内に収まっていて排水溝の立上がり壁と重なるようになっている。
また、図５に示すように、背面パネルの下端４０ｂは、張出部１３の両端付け根部間を跨って開閉枠体上枠部材の概ね全長にわたって設けた補助部材４１に固定してあり、背面パネルの下端部を強化するとともに、張出部の形状を保持し、さらには、開閉枠体の左右幅方向の寸法を保持している。
排水溝２３の固定枠体上枠部材の排水溝の立上がり壁の長手方向に沿って、タイト材４３が取り付けてあり、開閉枠体が閉じた際に背面パネルの下端４０ｂの固定枠体側とタイト材が当接してシールする。
背面パネルの上端４０ａにも上部補助部材４２を取り付けて補強している。
なお、上部補助部材４２は開閉枠体の張出部に沿って取り付けてある。
補助部材４１、上部補助部材４２は、背面パネル及び開閉枠体の上枠部材の補強を目的としており、実施例に示した断面形状は矩形形状であるが断面Ｌ字形等断面形状に制限はない。
このように、開閉枠体の上方に張り出している張出部の固定枠体側に対応する背面側開口部に背面パネル４０を取り付けて蓋をしてあるので、張出部からの雨水浸入を防ぐ。
また、張出部１３の両側に沿って落下してくる雨水等は固定枠体上枠部材上面に沿って看板の両側に流れることができるので、仮に看板の取付が水平でなく、左右に少し傾いていても、傾いた上方側の張出部付け根部に雨水が溜まることがない。
固定枠体上枠部材に、この上面よりも下方に位置し、上方に開口した排水溝を形成したので、たとえ、雨水等が開閉枠体と固定枠体との繋ぎ部や、タイト材部４３から内部に浸入したとしても排水溝２３に沿って看板の両側に排水されるので、この溝より下の看板内に雨水が流れ込まない。
図４に示すように、開閉枠体１０は固定枠体上枠部材の軸着部を中心に開閉し、開閉枠体の下枠部材側をリンク式等の開閉アーム部材６０にて固定枠体側に連結してあり、アームを折り曲げて開閉枠体を閉じる際には固定枠体の下枠部材と締結部材１６にて固定する。
【図面の簡単な説明】
【００１１】
【図１】本発明に係る看板の要部断面図を示す。
【図２】Ａ−Ａ線断面図を示す。
【図３】Ｂ−Ｂ線断面図を示す。
【図４】看板の開いた状態を示す。
【図５】背面パネル部分の断面拡大図を示す。
【符号の説明】
【００１２】
１０    開閉枠体
１１    開閉枠体上枠部材
１３    開閉枠体の張出部
１４    パネル嵌合部
２０    固定枠体
２１    固定枠体上枠部材
２３    排水溝
２４    軸着部材
３０    表示パネル
３１    表示パネルの突出部
４０    背面パネル
【図１】
0004683630.tif 000002
【図２】
0004683630.tif 000003
【図３】
0004683630.tif 000004
【図４】
0004683630.tif 000005
【図５】
0004683630.tif 000006